(57)【要約】  涙液層破壊、特にブレイクアップパターンについて動態的に評価する方法および装置の提供。  連続する複数のフレームからなる涙液層干渉縞画像について涙液層の動態評価を行う方法であり、涙液層の破壊箇所を検出する画像である第１のブレイク検出画像、第２のブレイク検出画像、第３のブレイク検出画像、第４のブレイク検出画像のうち少なくとも一の画像を作成するブレイク検出画像作成ステップと、前記ブレイク検出画像作成ステップにより作成された画像が所定のブレイクアップパターンに該当するか否かを判定する判定ステップと、前記判定ステップにより判定された判定結果を集計する集計ステップと、前記集計ステップによる集計結果に基づき前記涙液層干渉縞画像のブレイクアップパターンを評価する評価ステップと、を含む。
2019031569.tif 000002
【特許請求の範囲】
【請求項１】
連続する複数のフレームからなる涙液層干渉縞画像について涙液層の動態評価を行う方法であり、
涙液層の破壊箇所を検出する画像である第１のブレイク検出画像、第２のブレイク検出画像、第３のブレイク検出画像、第４のブレイク検出画像のうち少なくとも一の画像を作成するブレイク検出画像作成ステップと、
前記ブレイク検出画像作成ステップにより作成された画像が所定のブレイクアップパターンに該当するか否かを判定する判定ステップと、
前記判定ステップにより判定された判定結果を集計する集計ステップと、
前記集計ステップによる集計結果に基づき前記涙液層干渉縞画像のブレイクアップパターンを評価する評価ステップと、
を含む涙液層の動態評価方法。
【請求項２】
前記ブレイク検出画像作成ステップが前記第１のブレイク検出画像を作成するステップとして、
エッジを抽出するエッジ抽出ステップと、
縦方向のブレイクを強調する縦方向強調ステップと、
所定の領域内の画素の色情報から色のばらつきを示す値を算出するステップと、
算出された前記色のばらつきを示す値に基づく経過画像を作成する経過画像ステップと、
作成された経過画像における画素の連結領域を抽出する抽出ステップと、
を含むことを特徴とする請求項１に記載の涙液層の動態評価方法。
【請求項３】
前記ブレイク検出画像作成ステップが前記第２のブレイク検出画像を作成するステップとして、
エッジを抽出するエッジ抽出ステップと、
縦方向のブレイクを強調する縦方向強調ステップと、
前記エッジまたは前記縦方向のブレイクを強調するステップと、
所定の領域内の画素の色情報から色のばらつきを示す値を算出するステップと、
算出された前記色のばらつきを示す値に基づく経過画像を作成する経過画像ステップと、
作成された経過画像における画素の連結領域を抽出する抽出ステップと、
を含むことを特徴とする請求項１又は２に記載の涙液層の動態評価方法。
【請求項４】
前記ブレイク検出画像作成ステップが前記第３のブレイク検出画像を作成するステップとして、
所定の領域内の画素の色情報から変動係数を算出するステップと、
算出された変動係数に基づく変動係数画像を作成する変動係数画像作成ステップと、
前記変動係数画像における画素の連結領域を抽出する抽出ステップと、
を含むことを特徴とする請求項１乃至３のいずれか１項に記載の涙液層の動態評価方法。
【請求項５】
前記ブレイク検出画像作成ステップが前記第４のブレイク検出画像を作成するステップとして、
画像を正規化する正規化ステップと、
エッジを抽出するエッジ抽出ステップと、
画素の色情報に基づき二値化する二値化ステップと、
二値化された画像における画素の連結領域を抽出する抽出ステップと、
を含むことを特徴とする請求項１乃至４のいずれか１項に記載の涙液層の動態評価方法。
【請求項６】
前記ブレイク検出画像作成ステップは、画素の色情報と閾値との比較により解析不要画素を除外するステップを含むことを特徴とする請求項１乃至５のいずれか１項に記載の涙液層の動態評価方法。
【請求項７】
前記抽出ステップとは、前記第１乃至第４のブレイク検出画像に応じた所定の条件を満たす画素の連結領域を抽出するステップである請求項２乃至６のいずれか１項に記載の涙液層の動態評価方法。
【請求項８】
前記涙液層干渉縞画像において開瞼を検出する開瞼検出ステップと、を含み、
前記開瞼検出ステップによる開瞼の検知から所定時間範囲、または、所定の枚数範囲に該当するフレームであることを、前記ブレイク検出画像作成ステップが前記第４のブレイク検出画像を作成する条件とすることを特徴とする請求項１乃至７のいずれか１項に記載の涙液層の動態評価方法。
【請求項９】
前記ブレイク検出画像作成ステップは、まず前記第３ブレイク検出画像を作成し、
作成された前記第３ブレイク検出画像に対する前記判定ステップの判定に応じてその他の第１、第２、および、第４のブレイク検出画像の作成の要否が判断される請求項１乃至８に記載の涙液層の動態評価方法。
【請求項１０】
前記判定ステップとは、
前記ブレイク検出画像作成ステップにより作成された画像における前記連結領域の総数と総面積の少なくとも一方と、所定の閾値との比較により判定するステップである請求項２乃至７のいずれか１項に記載の涙液層の動態評価方法。
【請求項１１】
前記評価ステップとは、
前記集計ステップによる集計結果に基づき、最も多いブレイクアップパターンを前記涙液層干渉縞画像のブレイクアップパターンと評価する請求項１乃至１０のいずれか１項に記載の涙液層の動態評価方法。
【請求項１２】
前記評価ステップとは、
前記集計ステップによる集計結果に基づき、対象とした総フレーム数に占める割合と閾値との比較により前記涙液層干渉縞画像のブレイクアップパターンを評価する請求項１乃至１０のいずれか１項に記載の涙液層の動態評価方法。
【請求項１３】
前記評価ステップとは、
前記集計ステップによる集計結果に基づき、より重症度の高いブレイクアップパターンを前記涙液層干渉縞画像のブレイクアップパターンと評価する請求項１乃至１２のいずれか１項に記載の涙液層の動態評価方法。
【請求項１４】
請求項１乃至１３のいずれか一項に記載の方法を実行する涙液層の動態評価装置。
【発明の詳細な説明】
【技術分野】
【０００１】
本発明は、涙液層干渉縞画像の動態評価に関する方法および装置であり、特に、涙液層の破壊パターン（ブレイクアップパターン）を評価する方法および装置に関する発明である。
【背景技術】
【０００２】
眼球、ならびに、眼瞼は、涙液によって異物の侵入、乾燥、摩擦による損傷などから保護されている。涙液層はその大半を占める水と糖たんぱく質（ムチン）からなる液層とそれを覆う油層の２層によって構成され、油層は液層が直接空気に触れることを防ぐことにより液層の水分の蒸発を防いでいる。油層の成分は眼瞼に存在するマイボーム腺から分泌される。加齢や炎症、ならびに、外傷などによりマイボーム腺が損傷すると正常な油層の形成が起こらなくなって液層が保持できなくなることなどを理由にドライアイと呼ばれる眼疾患が引き起こされる。【０００３】
ドライアイのタイプには、「涙液減少型」、「ＢＵＴ短縮型」、「蒸発亢進型」、「水濡れ性低下型」がある。それぞれのドライアイのタイプについて概説すると、涙液減少型とは、分泌される涙液量が減少するタイプであり、ＢＵＴ短縮型とは、瞬きから涙液層の破壊までの時間であるＢＵＴ（Ｂｒｅａｋ Ｕｐ Ｔｉｍｅ）が短いタイプである。蒸発亢進型とは、涙液の蒸発が亢進してしまうことにより引き起こされるタイプであり、水濡れ性低下型とは、角膜表面の水濡れ性が低下しているために引き起こされるタイプである。これらのうち蒸発亢進型と水濡れ性低下型のドライアイは、一般に、ＢＵＴ短縮型に含まれる。【０００４】
ここで、涙液層干渉縞画像に係るドライアイのタイプを定量的に分類するための眼科装置および画像分類方法が特許文献１に記載されている。特許文献１によれば、ＮＩＢＵＴ（Ｎｏｎ−Ｉｎｖａｓｉｖｅ  Ｂｒｅａｋ  Ｕｐ  Ｔｉｍｅ）と、油層伸展初速度とを計測し、それらＮＩＢＵＴと油層伸展初速度との相関によりドライアイのタイプを分類している。なお、ＮＩＢＵＴとは、フルオレセイン等の蛍光色素で染色しないで、非侵襲的に（Ｎｏｎ−Ｉｎｖａｓｉｖｅ）計測するＢＵＴである。【０００５】
特許文献１によれば、ＮＩＢＵＴと油層伸展初速度に応じて、「涙液減少型ドライアイ（ＡＴＤ：Ａｑｕｅｏｕｓ  Ｔｅａｒ  Ｄｅｆｉｃｉｅｎｔ  Ｄｒｙ  Ｅｙｅ）」、「ＢＵＴ短縮型ドライアイ」、「蒸発亢進型ドライアイ」、「治療後のＡＴＤ」、「正常」の５タイプに分類できる例が記載されている。【０００６】
一方、こうした涙液減少型、ＢＵＴ短縮型、蒸発亢進型、水漏れ性低下型といったドライアイのタイプとは別に、涙液層の動態に基づく涙液層の破壊パターン（ブレイクアップパターン）の分類をすることができる。【０００７】
ブレイクアップパターンに関する特徴をまとめたものを図１に示す。図１にはブレイクアップパターンとして４パターンを挙げている。図１中、最も左の列に掲載のブレイクアップパターンは、「エリアブレイク」（Ａｒｅａ  ｂｒｅａｋ）と呼ばれるパターンである。エリアブレイクは、涙液減少型ドライアイに見られるブレイクアップパターンで、開瞼中における涙液層の破壊が角膜広範囲にわたって出現し、油層伸展が見られないか見られても、角膜下方に限局しており、涙液減少型ドライアイの中でも重症度の高いパターンである。【０００８】
続いて、図１中、左から２番目の列に掲載のブレイクアップパターンは「ラインブレイク」（Ｌｉｎｅ  ｂｒｅａｋ）と呼ばれるパターンである。ラインブレイクも涙液減少型ドライアイに見られるブレイクアップパターンであるが、油層伸展中に、特に角膜下方に涙液層の破壊が出現し、さらに、その破壊は縦方向に線状に表れる特徴を持つ。さらに、図１中、左から３番目の列に掲載のブレイクアップパターンは、「ディンプルブレイク」（Ｄｉｍｐｌｅ  ｂｒｅａｋ）と呼ばれるパターンである。ディンプルブレイクは、ＢＵＴ短縮型ドライアイにおける水濡れ性低下型ドライアイに見られるブレイクアップパターンの１つであり、その特徴としては、油層伸展中において、主に角膜の下方から中央にかけて類線状の涙液層の破壊が生じるパターンである。【０００９】
さらに、図１中、最も右の列に掲載のブレイクアップパターンは、「スポットブレイク」（Ｓｐｏｔ  ｂｒｅａｋ）と呼ばれるパターンである。スポットブレイクは、開瞼中に角膜中央及び上方の位置に出現することが多い水濡れ性低下型のＢＵＴ短縮型ドライアイに該当し、その特徴として涙液層の破壊が「類円形」状に出現する傾向にあるパターンである。
【先行技術文献】
【特許文献】
【００１０】
【特許文献１】特開２０１１−１５６０３０号公報
【発明の概要】
【発明が解決しようとする課題】
【００１１】
特許文献１の装置及び方法では、涙液層破壊の過程によりブレイクアップパターンについて評価、分類するなどといった、涙液層の破壊を動態的に評価することはできなかった。【００１２】
本発明は、こうした従来の問題点に鑑みてなされたものであり、取得した涙液層干渉縞画像に対する視覚的、動的な評価を可能とし、ブレイクアップパターンを評価し分類することができる装置及び方法である。
【課題を解決するための手段】
【００１３】
本発明に係る涙液層の動態評価方法及びその装置は、以下に示すステップおよび手段を含むものである。
（１）連続する複数のフレームからなる涙液層干渉縞画像について涙液層の動態評価を行う方法であり、涙液層の破壊箇所を検出する画像である第１のブレイク検出画像、第２のブレイク検出画像、第３のブレイク検出画像、第４のブレイク検出画像のうち少なくとも一の画像を作成するブレイク検出画像作成ステップと、前記ブレイク検出画像作成ステップにより作成された画像が所定のブレイクアップパターンに該当するか否かを判定する判定ステップと、前記判定ステップにより判定された判定結果を集計する集計ステップと、前記集計ステップによる集計結果に基づき前記涙液層干渉縞画像のブレイクアップパターンを評価する評価ステップと、を含む。
（２）上記（１）において、前記ブレイク検出画像作成ステップが前記第１のブレイク検出画像を作成するステップとして、エッジを抽出するエッジ抽出ステップと、
縦方向のブレイクを強調する縦方向強調ステップと、所定の領域内の画素の色情報から色のばらつきを示す値を算出するステップと、算出された前記色のばらつきを示す値に基づく経過画像を作成する経過画像ステップと、作成された経過画像における画素の連結領域を抽出する抽出ステップと、を含む。
（３）上記（１）または（２）において、前記ブレイク検出画像作成ステップが前記第２のブレイク検出画像を作成するステップとして、エッジを抽出するエッジ抽出ステップと、縦方向のブレイクを強調する縦方向強調ステップと、前記エッジまたは前記縦方向のブレイクを強調するステップと、所定の領域内の画素の色情報から色のばらつきを示す値を算出するステップと、算出された前記色のばらつきを示す値に基づく経過画像を作成する経過画像ステップと、作成された経過画像における画素の連結領域を抽出する抽出ステップと、含む。
（４）上記（１）乃至（３）において、前記ブレイク検出画像作成ステップが前記第３のブレイク検出画像を作成するステップとして、所定の領域内の画素の色情報から変動係数を算出するステップと、算出された変動係数に基づく変動係数画像を作成する変動係数画像作成ステップと、前記変動係数画像における画素の連結領域を抽出する抽出ステップと、を含む。
（５）上記（１）乃至（４）において、前記ブレイク検出画像作成ステップが前記第４のブレイク検出画像を作成するステップとして、画像を正規化する正規化ステップと、エッジを抽出するエッジ抽出ステップと、画素の輝度に基づき二値化する二値化ステップと、二値化された画像における画素の連結領域を抽出する抽出ステップと、を含む。
（６）上記（１）乃至（５）において、前記ブレイク検出画像作成ステップは、画素の色情報と閾値との比較により解析不要画素を除外するステップを含む。
（７）上記（２）乃至（６）において、前記抽出ステップとは、所定の条件を満たす画素の連結領域を抽出するステップである。
（８）上記（１）乃至（７）において、前記涙液層干渉縞画像において開瞼を検出する開瞼検出ステップと、を含み、前記開瞼検出ステップによる開瞼の検知から所定時間範囲、または、所定の枚数範囲に該当するフレームであることを、前記ブレイク検出画像作成ステップが前記第４のブレイク検出画像を作成する条件とする。
（９）上記（１）乃至（８）において、前記ブレイク検出画像作成ステップは、まず前記第３ブレイク検出画像を作成し、作成された前記第３ブレイク検出画像に対する前記判定ステップの判定に応じてその他の第１、第２、および、第４のブレイク検出画像の作成の要否が判断される。
（１０）上記（２）乃至（９）において、前記判定ステップとは、前記ブレイク検出画像作成ステップにより作成された画像における前記連結領域の総数と総面積の少なくとも一方と、所定の閾値との比較により判定する。
（１１）上記（１）乃至（１０）において、前記評価ステップとは、前記集計ステップによる集計結果に基づき、最も多いブレイクアップパターンを前記涙液層干渉縞画像のブレイクアップパターンと評価する。
（１２）上記（１）乃至（１０）において、前記評価ステップとは、前記集計ステップによる集計結果に基づき、対象とした総フレーム数に占める割合と閾値との比較により前記涙液層干渉縞画像のブレイクアップパターンを評価する。
（１３）上記（１）乃至（１２）において、前記評価ステップとは、前記集計ステップによる集計結果に基づき、より重症度の高いブレイクアップパターンを前記涙液層干渉縞画像のブレイクアップパターンと評価する。
【発明の効果】
【００１４】
本発明によれば、涙液層干渉縞画像、特に、動画像の解析により、涙液層破壊の様子が動的に、かつ、視覚的に把握でき、さらに、その涙液層破壊の様子や過程といった態様からブレイクアップパターンの評価、分類をすることができる。
【図面の簡単な説明】
【００１５】
【図１】ブレイクアップパターンについてまとめた表である。
【図２】涙液層干渉縞画像取得装置の構成の概略図である。
【図３】ブレイクアップパターンのうちディンプルブレイク検出のためのブレイク検出画像１の作成フロー図である。
【図４】ブレイク検出画像１の作成フローの各段階における画像の一例である。
【図５】涙液層干渉縞画像から抽出された抽出画像の対象領域の一部における各画素の色情報（輝度値）の一例と、判定値算出のための局所領域および算出結果を示す図である。
【図６】ブレイクアップパターンのうちラインブレイク検出のためのブレイク検出画像２の作成フロー図である。
【図７】ブレイク検出画像２の作成フローの各段階における画像の一例である。
【図８】ブレイクアップパターンのうちエリアブレイク検出のためのブレイク検出画像３の作成フロー図である。
【図９】ブレイク検出画像３の作成フローの各段階における画像の一例である。
【図１０】ブレイクアップパターンのうちスポットブレイク検出のためのブレイク検出画像４の作成フロー図である。
【図１１】ブレイク検出画像４の作成フローの各段階における画像の一例である。
【図１２】ブレイク検出画像４におけるＢｌｏｂ抽出の条件の一例を概念的に示す模式図である。
【図１３】涙液層干渉縞画像におけるブレイクアップパターンの評価までのフロー図である。
【発明を実施するための形態】
【実施例】
【００１６】
［涙液層干渉縞画像の取得］
角膜表面における涙液層の干渉縞画像を取得するための装置（涙液層干渉縞画像取得装置）については、撮影した画像をデジタルデータとして記録できるものであればよく、従来既知のものを適宜用いればよい。例えば、図２に概略を示すように、涙液層干渉縞画像取得装置は、光源１１から発せられ、絞りを通過した光線は、順にレンズ１２、スプリッタ１３、対物レンズ１４を経て、被検者の被検眼の前眼部１５に集光される。前眼部１５からの反射光は、対物レンズ１４およびスプリッタ１３を通過し、結像レンズ１６を経て撮像素子１７上に結像される。撮像素子１７に結像された撮影データは、画像処理エンジンによる所定の処理が施され、静止画像データ（以下、単に「画像データ」と称する）、動画像データに変換される。【００１７】
涙液層干渉縞画像取得装置は、本発明に係る涙液層評価装置と物理的又は論理的に接続される。当該涙液層評価装置は、データを演算および処理する処理手段、涙液層干渉縞画像取得装置により取得された画像データ、動画像データおよびその他のデータを記憶する記憶手段を備えるものであり、当該記憶手段には、本発明を実施するためのコンピュータプログラムや所定のデータがそれぞれ記憶されており、処理手段は、当該コンピュータプログラム等による所定の命令に従ってデータの処理を行うものである。【００１８】
このように得られた涙液層干渉縞画像についてドライアイのブレイクアップパターンの評価、分類のための処理について以下説明する。なお、以下の説明については、特に断らない限り、涙液層干渉縞画像とは、所定の時間にわたって撮影された複数の連続するフレームからなる動画像であって、涙液層評価装置自体又はこれに接続された記憶装置に記憶されているものとする。【００１９】
［画像の色情報］
まず、本発明において用いることが出来る色情報について説明する。色情報としては、例えば、多くの電子画像機器で用いられている方式である、赤、緑、青の３色の色要素（ＲＧＢ色空間の数値）を用いる方法がある。【００２０】
具体的には、各画素の色情報とは、画素が持つ赤、緑、青の色要素の輝度または明度であり、ＲＧＢ色空間における赤、緑、青の少なくとも１つ以上の色要素の輝度をそのまま用いてもよいし、グレースケール階調に変換したものを用いるなどしてもよい。【００２１】
また、色情報は必要に応じて演算を施した数値であってもよい。例えば、それぞれの色要素における輝度の２つ以上を組み合わせて算出するようにしてもよいし、２つ以上の色要素を平均して算出してもよいし、各要素に対して異なる所定の重み付け係数をかけ合わせて与えてもよい。【００２２】
あるいは、赤、緑、青の３色の色要素から個別に変動係数を算出し、その中の最大の値を使用したり、最小の値を使用したり、２番目に大きい数値を使用したりしてもよい。【００２３】
なお、以下の説明は、ＲＧＢ色空間における輝度を用いる場合を元に例に説明するが、本発明において、色情報は、ＲＧＢ色空間における数値に限るものでないことは勿論であり、ＨＳＶ色空間、ＨＳＢ色空間、ＨＬＳ色空間、あるいはＨＳＬ色空間などで規定される輝度、あるいは、明度を使用してもよい。【００２４】
以下、個々の処理の内容について具体的に説明する。本発明においては、ディンプルブレイク、ラインブレイク、エリアブレイク、または、スポットブレイクの検出のためのブレイク検出画像１乃至４の作成について述べる。後述するが、ブレイク検出画像１乃至４の作成は、涙液層干渉縞画像のフレーム単位に行われるものである。なお、以下の説明において、単に「ブレイク」という場合には、原則として、涙液層の破壊(ブレイクアップ)を意味するものとする。【００２５】
［ブレイク検出画像１］
ここで述べるブレイク検出画像１の取得方法は、特にディンプルブレイクを検出するためのものであり、その手順を図３に示す。なお、図４（Ａ）乃至（Ｆ）はブレイク検出画像１の作成の各過程における一例を示す写真である。【００２６】
＜Ｓ１１：エッジ抽出＞
ディンプルブレイクは、図４（Ａ）に示すように、角膜上の広範囲にわたって類線状に表れるが、このブレイク部分はそれ以外のブレイクの無い部分と比べて白色が強く外観されるように、ブレイク部分とそれ以外の部分との間に輝度等の色情報において変化が見られる。【００２７】
このため、色情報の変化が大きい部分を抽出するエッジ抽出を行うことで、ブレイク部分を抽出することができる。エッジ抽出の手法としては、キャニー法、一次微分法、ソーベル法、ラプラシアン法などが従来から知られており、これらを適宜利用できる。これにより、図４（Ｂ）に示すような、エッジ抽出画像を得ることができる。【００２８】
＜Ｓ１２：解析エリア限定＞
エッジ抽出画像には、図４（Ｂ）のように、角膜の輪郭が円弧状に表れる。涙液層干渉縞画像は、通常、角膜上部分は明るくそれ以外の部分は暗く表れるので、その輪郭はエッジとして抽出されてしまうからである。【００２９】
図４（Ｃ）に示すように、角膜輪郭部分は、涙液層の破壊を示す箇所ではないので解析の対象としないように除外することが望ましい。ここで、角膜輪郭部分を解析の対象から除外するには、例えば、角膜と背景との輝度の差など角膜輪郭部分に現れる特徴から角膜輪郭部分を検出することによって、動的に角膜輪郭部分を認識する。そして、認識された該当部分を背景色と同一の色情報に変更する方法や、角膜輪郭として認識された該当部分内のみを解析エリアとすれば良い。また、ここで例示した方法の他、従来既知の方法も用いることができる。さらに、涙液層干渉縞画像に映り込んでいる、例えば、「まつ毛」や「油滴」に由来する黒点など、解析結果に悪影響を与える可能性のある画素領域については、あらかじめ除外するようにしてもよい。【００３０】
＜Ｓ１３：縦方向ブレイクの強調＞
ディンプルブレイクは、縦方向の線状のブレイクが特徴的であることから、当該縦方向ブレイクを強調するため処理を施すことが望ましい。【００３１】
縦方向のブレイクを強調するためには、エッジ抽出画像について、注目画素とそれに隣接する画素との輝度等の色情報の差分を用いる。具体的には、スキャンし、ある注目画素の色情報と横方向に隣接する画素の色情報の差分と、注目画素の色情報と縦方向に隣接する画素の色情報の差分を得た後、横方向の差分から縦方向の差分を減算した値を注目画素の色情報として返すことにより縦方向に変化する部分を強調した縦方向強調画像（図４（Ｄ））を得ることができる。【００３２】
＜Ｓ１４：色のばらつきを示す値による画像の作成＞
前述のとおり得た縦方向強調画像の画素の色情報に基づいて色のばらつきを示す値を算出し、その色のばらつきを示す値に基づく画像を作成する。【００３３】
色のばらつきに関しては、各色要素の輝度等の色情報から得られる分散値や偏差（標準偏差等）、あるいは変動係数を適宜用いることができる。【００３４】
色のばらつきを示す値の算出は、注目画素およびこれに隣接する画素を一纏めにした画素を局所領域とし、その局所領域について算出するのが好適である。このようにして求めた色のばらつきを示す値は、解像度が高く、且つ、空間的位置情報が元の画像と一致しているため、ブレイクの位置や面積の特定に資する。具体的に図５Ａ及びＢを参照しつつ説明する。【００３５】
図５Ａは、ある画像の対象領域における注目画素とその注目画素を囲む８画素による３×３の計９画素が示す領域について輝度の標準偏差を算出している場合を示す模式図である。図５Ａの各数値は、前述のとおり得た画像の一部における各画素の色情報（輝度）の数値を示すものである。【００３６】
図５Ａに示す「領域１」は、注目画素１およびそれを取り囲む画素からなる計９画素（３×３画素）からなる領域からなり、当該領域１において標準偏差を算出し注目画素１に出力する。これを図５Ａのような輝度等の色情報を持つ画像の対象領域にスキャンした結果を示すのが図５Ｂである。【００３７】
つまり、注目画素とこれを中心とする所定の画素からなる局所領域における輝度等の色情報の標準偏差等の色のばらつきを示す値を注目画素に出力するフィルタにより、前述のとおり得た画像の対象領域（全体又は所望の一部）をスキャンして画素毎に出力された値を記憶する。【００３８】
ここで、図５ＡおよびＢにおいて、具体的な数値を確認すると、領域１において注目画素１に出力された標準偏差を見てみると「２．２」と小さいが、領域２における注目画素２に出力された値は「７．１」と大きい。原則として、涙液層の状態が悪いブレイク近傍は色のばらつきを示す値が大きくなる傾向にある。【００３９】
なお、これまでの説明では、図５は、注目画素およびそれを取り囲む画素による局所領域における標準偏差等の色のばらつきを示す値を注目画素毎にそれぞれ出力しているが、注目画素に出力せずに、その局所領域を一つの区分とみて、この区分毎に標準偏差等の色のばらつきを示す値を出力するようにしてもよい。また、当該局所領域又は区分は、３×３の計９画素に限るものではなく、任意の数の画素の集合であってよい。【００４０】
以上のとおり、ブレイク検出画像１における色のばらつきを示す値は、所定領域における色情報（輝度等）のばらつき、すなわち、分散又は標準偏差等を求めることにより得られるものである。【００４１】
画素毎に出力された色のばらつきを示す値に基づいて画像を作成する。例えば、画像の各画素の色のばらつきを示す値を所定の閾値と比較し閾値以上の画素を抽出し、色のばらつきを示す値に応じた色情報（輝度等）としてグレースケール処理する。色のばらつきを示す値が大きいほど高輝度なり小さくになるにつれて低輝度となるように適宜調整するなどすればよい。閾値未満の画素については色情報をゼロとする、もしくは背景色と同一の色情報とするなどの処理を施してもよい。このように色のばらつきを示す値に基づく画像グレースケール画像（図４（Ｅ））が取得できる。【００４２】
＜Ｓ１５：ラベリング（Ｂｌｏｂの抽出）＞
これまでのステップにより得られた画像についてラベリングを行い、画素の連結領域、すなわち、「Ｂｌｏｂ」の抽出を行う。ラベリングの手法については本発明の要旨ではないので詳述しないが、共通する論理状態の画素のＢｌｏｂを認識し抽出できる方法であればよく、従来既知の手法を適宜用いることができる。【００４３】
単にＢｌｏｂを抽出するのではなく、ブレイク部分とは無関係な部分などノイズを除外するため、ラベリングにより抽出された各Ｂｌｏｂの画素数と所定の閾値とを比較し、当該閾値以上のＢｌｏｂのみ抽出するようにしてもよい。【００４４】
また、ディンプルブレイクは、線状に伸展するブレイクであることから、円形度が高いＢｌｏｂはブレイクではない可能性が高いため、こうしたＢｌｏｂを除外するのが望ましい。Ｂｌｏｂの円形度は以下の「式１」により算出される値が大きいほど円形度が高いため、閾値を設けて、円形度が低いＢｌｏｂのみ抽出するようにしてもよい。
（式１）
円形度＝4π×（Ｂｌｏｂの画素数）÷（Ｂｌｏｂの周囲長）2【００４５】
さらに、ディンプルブレイクは、線状のブレイクであるため、Ｂｌｏｂの縦横比に基づいて線状に表れているＢｌｏｂのみ抽出するようにしてもよい。【００４６】
なお、後述するラインブレイクも縦方向に伸展する線状のブレイクであるという点においてディンプルブレイクと共通する特徴と持っている。その一方で、ディンプルブレイクは、ブレイクの縦方向の長さはラインブレイクより一般的に長く、また、ディンプルブレイクは縦方向だけでなく横方向に伸展するブレイクも出現するという違いがある。【００４７】
ディンプルブレイクを検出しようとするこのブレイク検出画像１の作成にあたっては、こうした違いを利用して、例えば、抽出されたＢｌｏｂの縦方向長さが所定の閾値以上のＢｌｏｂを抽出するようにしてもよいし、また、所定の閾値以上の横方向長さを持つＢｌｏｂを抽出するようにしてもよい。【００４８】
以上のステップにより、たとえば、図４（Ｆ）に示すように、ブレイク検出画像１が作成される。【００４９】
［ブレイク検出画像２］
ここから、ブレイク検出画像２の作成の手順について説明する。このブレイク検出画像２は、特に、ラインブレイクを検出するためのものである。図６は、ブレイク検出画像２の作成のフローであり、以下、各ステップにおける処理の内容について説明する。ブレイク検出画像２の作成手順は、ブレイク検出画像１の作成手順と共通する部分が多いが、共通部分については前述のブレイク検出画像１の処理内容と同様であるため、説明を適宜省略する。図７（Ａ）乃至（Ｇ）は、ブレイク検出画像２の作成の各過程における一例を示す写真である。【００５０】
＜Ｓ２１：エッジ抽出＞
ラインブレイクは、図７（Ａ）に示すように、角膜の下方に集中的に線状に表れるので、この特徴を利用して涙液層破壊箇所を抽出するためエッジ抽出を行う。詳細は、前述の「ブレイク検出画像１における＜Ｓ１１：エッジ抽出＞」のとおりであり、当該エッジ抽出後の画像の一例は図７（Ｂ）のとおりである。【００５１】
＜Ｓ２２：解析エリア限定＞
ブレイク検出画像１と同様、図７（Ｃ）に示すように、角膜の輪郭が円弧状に表れてしまうので、これを除外する処理を行う。詳細は、前述の「ブレイク検出画像１における＜Ｓ１２：解析エリア限定＞」のとおりである。【００５２】
＜Ｓ２３：縦方向ブレイクの強調＞
ディンプルブレイクと同じくラインブレイクも、特徴として、縦方向の線状のブレイクが特徴的であることから、当該縦方向ブレイクを強調する処理を施した縦方向強調画像を得ることが望ましい。詳細は、前述の「ブレイク検出画像１における＜Ｓ１３：縦方向ブレイクの強調＞」のとおりであり、得られる縦方向強調画像の一例は、図７（Ｄ）のとおりである。【００５３】
＜Ｓ２４：ブレイク部分の強調（オプション）＞
必須の処理ではないが、ラインブレイクは他のブレイクアップパターンと比べて線状に短く、角膜上の狭い範囲に涙液層の破壊が出現するものであるため、当該破壊部分を強調する処理をしてもよい。【００５４】
例えば、図７（Ｅ）に示すように、前述のとおり抽出されているエッジを膨張させる処理ができる。その他、収縮する方法、あるいは、抽出されているエッジ内を所定の色情報で塗り潰す方法、などの方法を利用することができる。【００５５】
＜Ｓ２５：色のばらつきを示す値による画像の作成＞
「Ｓ２４」あるいは「Ｓ２３」までの処理で得られた画像について、色情報のばらつきを示す値に基づく画像（図７（Ｆ））を作成する処理である。詳細は、前述の「ブレイク検出画像１における＜Ｓ１４：色のばらつきを示す値による画像の作成＞」のとおりである。【００５６】
＜Ｓ２６：ラベリング（Ｂｌｏｂの抽出）＞
これまでに得られた画像についてＢｌｏｂを抽出するラベリングを行う。適宜ノイズを除外する処理も含め、手法は、前述の「ブレイク検出画像１における＜Ｓ１５：ラベリング（Ｂｌｏｂの抽出）＞」とほぼ同様である。【００５７】
ただ、ブレイク検出画像２は、ラインブレイク検出のための画像であるため、ブレイク検出画像２におけるＢｌｏｂの抽出は、以下のとおりである。【００５８】
ここで、ラインブレイクは、線状に伸展するブレイクであることから、円形度が高いＢｌｏｂはブレイクではない可能性が高いためこうしたＢｌｏｂを除去するのが望ましい点は、前述のブレイク検出画像１の場合と同様であるので、前述と同様に、円形度が低いＢｌｏｂのみ抽出するようにしてもよい。また、同様にＢｌｏｂの縦横比に基づき縦長線状と評価できるＢｌｏｂのみ抽出するようにしてもよい。【００５９】
ただ、ラインブレイクは、前述のとおり、ディンプルブレイクと比較して、ブレイクの縦方向の長さがディンプルブレイクより短い傾向にあるので、例えば、縦横比に基づいて縦長線状と評価できるＢｌｏｂのうち縦方向長さが閾値未満のＢｌｏｂを抽出するようにしてもよい。【００６０】
以上のステップにより、たとえば、図７（Ｇ）に示すように、ブレイク検出画像２が作成される。【００６１】
［ブレイク検出画像３］
続いて、ブレイク検出画像３の作成手法について説明する。このブレイク検出画像３は、特に、エリアブレイクを検出するためのものである。図８はブレイク検出画像３の作成フローであり、以下、各処理の内容について説明する。図９の各写真は、ブレイク検出画像３の作成の各過程における一例である。【００６２】
＜Ｓ３１：変動係数に基づく画像の作成＞
エリアブレイクは、図９（Ａ）に示すように、広範囲に亘って出現し、ドライアイとしても重症を示すものである。【００６３】
前述の「ブレイク検出画像１」に係る＜Ｓ１４：色のばらつきを示す値による画像の作成＞において説明したが、ここでは、色のばらつきを示す値をそのまま用いるのではなく、色のばらつきを示す値を領域内の画素の輝度の平均値で除算した値を用いるのが好適である。例えば、色のばらつきを示す値として、輝度の標準偏差を用いる場合、その値である変動係数は、「式２」のようになる。
（式２）
変動係数 ＝ 輝度の標準偏差 ／ 輝度平均値【００６４】
ドライアイ重症度グレード５と診断され得るエリアブレイクのようにブレイクが広範囲にわたる重症の被検眼の場合、前述のような輝度等による色情報の分散や標準偏差により算出された数値のみだとブレイクを適切に判定できない場合がある。【００６５】
これは、エリアブレイクが出現するような重症ドライアイの場合、涙液層破壊箇所は破壊していない箇所と比較して輝度が一定でばらつきが少ない。このため涙液層の破壊箇所が広範囲に及ぶと上述したような分散や標準偏差によるばらつきを示す値が大きくならない箇所が増え、結果としてブレイクが適当に検出できない、もしくは、実態にそぐわないような軽症と判定されるおそれがあるためである。【００６６】
変動係数の算出については、ブレイク検出画像１における＜Ｓ１４：色のばらつきを示す値による画像の作成＞において説明したように、注目画素およびこれに隣接する画素からなる局所領域とし、その局所領域の輝度等の色情報に基づいて算出する。【００６７】
注目画素とこれを中心とする所定の画素からなる局所領域において輝度等の色情報の標準偏差等の色のばらつきを示す値を算出し、さらに、当該局所領域中の画素の色情報の平均値を算出し、算出された色のばらつきを示す値を平均値で除算することにより得られる変動係数を注目画素に出力するフィルタにより、涙液層干渉縞画像の対象領域（全体又は所望の一部）をスキャンして画素毎に変動係数を取得する。変動係数に基づき、閾値との比較により二値化してもよいし、グレースケール化してもよい。【００６８】
＜Ｓ３２：解析エリア限定＞
二値化画像には、図９（Ｂ）に示すように角膜の輪郭が円弧状に表れるため、図９（Ｃ）に示すような当該円弧状部分を除外する処理を行う。この処理については、前述の「ブレイク検出画像１における＜Ｓ１２：解析エリア限定＞」と同様である。【００６９】
＜Ｓ３３：ラベリング（Ｂｌｏｂの抽出）＞
前述のとおり得た二値化画像についてＢｌｏｂを抽出するラベリングを行う。ラベリングの手法については本発明の要旨ではないので詳述しないが、二値化画像中の連結する画素をＢｌｏｂとしてそれぞれ抽出できる方法であれば従来既知の手法を適宜用いることができるのは、前述と同様である。【００７０】
また、ここでも前述同様、エリアブレイクによるブレイクとは無関係なＢｌｏｂを除外するようにするのが望ましい。例えば、各Ｂｌｏｂの画素数と所定の閾値とを比較し、当該閾値以上のＢｌｏｂのみを抽出するようにすればよい。【００７１】
以上のステップにより、たとえば、図９（Ｄ）に示すように、ブレイク検出画像３が作成される。【００７２】
［ブレイク検出画像４］
続いて、ブレイク検出画像４の作成手法について説明する。このブレイク検出画像４は、特に、スポットブレイクを検出するためのものである。図１０はブレイク検出画像４の作成フローであり、以下、各処理の内容について説明する。図１１の各写真は、スポットブレイクが出現している画像の一例を示す元画像（図１１（Ａ））、および、この元画像に対するブレイク検出画像４の作成の各ステップにおいて作成される画像の一例を示すものである。【００７３】
＜Ｓ４１：解析エリア限定＞
解析エリアの限定については、前述の「ブレイク検出画像１における＜Ｓ１２：解析エリア限定＞」と同様である。このステップ「＜Ｓ４１：解析エリア限定＞」により作成される画像の一例を図１１（Ｂ）に示す。【００７４】
ここで、スポットブレイクは、角膜上中央から上方にかけて出現するブレイクであるため、画像の下方領域は解析エリアから除外するようにしてもよい。【００７５】
＜Ｓ４２：画像の正規化＞
スポットブレイクは、「類円形」に出現する傾向があるものの、その形状は様々であり、さらに、画像の明るさが画像ごとに異なることにより輝度変化が小さくなるため、本来抽出したいスポットブレイクの出現箇所をエッジとして抽出できない場合がある。たとえば、全体的に暗い画像の場合、ブレイク出現箇所とそうでない箇所との輝度変化を捉えに難くなるため、ブレイク出現箇所を抽出することが困難となり、また、全体的に明るい画像の場合は、逆に、ブレイク出現箇所ではない箇所をエッジと誤って認識してしまう場合がある。【００７６】
そこで、画像のコントラストと明るさが一律となるように、画像の輝度分布が、「ある平均値±標準偏差」となるように、画像を正規化する処理を行う。ここで、正規化のための元となる輝度分布は、上記＜Ｓ４１：解析エリア限定＞のステップを施した後の画像において、解析対象となった画素の集合により構成される。【００７７】
具体的には、たとえば、輝度７０以上の画素からなる正規分布を画像正規化後には輝度分布が「１５０±３０」となるようにする。ただし、この数値に限定されるものではなく、適宜変更してよい。このステップ「＜Ｓ４２：画像の正規化＞」により作成される画像の一例を、図１１（Ｃ）に示す。【００７８】
＜Ｓ４３：エッジ抽出＞
こうして得られた正規化後の画像に対し、エッジ抽出を行う。具体的には、たとえば、「ソーベル法」を用いる場合、適宜重み付けした「３×３」の水平用方向微分用カーネルと垂直方向微分用カーネルを用い、走査させることで、垂直（縦）方向および水平（横）方向のエッジをそれぞれ抽出する。ただし、エッジ抽出の手法は、これに限定されるものではなく、前述の「ブレイク検出画像１における＜Ｓ１１：エッジ抽出＞」において挙げた各種手法を変更して利用できる。このステップ「＜Ｓ４３：エッジ抽出＞」により作成される画像の一例を、図１１（Ｄ）に示す。【００７９】
＜Ｓ４４：二値化＞
ブレイク出現箇所の検出を容易にするために、前述のとおりエッジ抽出した画像に対し、二値化処理を行う。具体的には、閾値を「１００」とし、この閾値と各画素の輝度とを比較することにより行う。このステップ「＜Ｓ４４：二値化＞」により作成されるエッジ抽出画像の一例を、図１１（Ｅ）に示す。【００８０】
＜Ｓ４５：ラベリング（Ｂｌｏｂの抽出）＞
前述の「＜Ｓ４４：二値化＞」により得られた二値化画像に対し、ラベリングにより所定の条件を満たすＢｌｏｂを抽出する処理を行う。ただ、ブレイクの出現箇所とは関係ないＢｌｏｂの抽出を抑制するため、Ｂｌｏｂの面積（画素数）が閾値未満である場合、そのＢｌｏｂは除外するのが望ましい。【００８１】
ここで、スポットブレイクの出現箇所を示すＢｌｏｂをより適切に抽出する方法は複数あるが、一つの方法としては、前述のとおり、スポットブレイクは「類円形」の形状を有していることから、閾値以上の面積（画素数）を有するＢｌｏｂのうち、円形度が所定の範囲内となるＢｌｏｂのみを残すようにする方法がある。円形度は、一般的に知られているように、前述した「式１」で算出される数値を利用すればよく、閾値と算出された円形度との比較により、そのＢｌｏｂの抽出、または、除外の要否を判別すればよい。【００８２】
また、スポットブレイクは、「類円形」形状のほか、「Ｕ字」形状や「Ｕ字」を上下に伸ばしたような縦長にみえる形状を有していることも多い。そこで、図１２に示すように、Ｂｌｏｂを囲む方形領域を設定し、設定された方形領域内にさらに一の方形の小領域を設定する。小領域は、その小領域の１辺のみを方形領域のある１辺と接するように設定される。【００８３】
具体的には、たとえば、方形領域の所定の辺を「辺１」とし、この辺１を三等分した長さを小領域の平行する２辺の長さとし、方形領域の「辺１」に直交する辺を二等分した長さを小領域の他の２辺の長さに設定することができる。ただし、小領域の各辺の長さはこれに限定されない。【００８４】
このように、Ｂｌｏｂに設定された小領域内におけるＢｌｏｂの占める比率を算出し、その比率が閾値未満の場合、そのＢｌｏｂはスポットブレイク出現箇所である可能性が高いため、当該Ｂｌｏｂを抽出する。一方、その比率が閾値以上の場合、スポットブレイク出現箇所ではない可能性が高いので、当該Ｂｌｏｂは除外する。小領域に占めるＢｌｏｂの比率に対する閾値および条件は、「３０％未満」とするのが検出結果として優良だが、これに限定されない。【００８５】
また、スポットブレイク以外のブレイク、たとえば、ラインブレイクやディンプルブレイクによるブレイクの検出を抑制するために、Ｂｌｏｂの外周幅あるいは高さが閾値以上となるＢｌｏｂは除外するようにしてもよい。【００８６】
以上のステップにより、たとえば、図１１（Ｆ）に示すように、ブレイク検出画像４が作成される。【００８７】
以上、ブレイク検出画像１乃至４の４パターンの画像作成手順を説明してきたが、図１３を参照しつつ、以下、ブレイクアップパターンの判定および評価までの手順について説明する。【００８８】
［解析対象の涙液層干渉縞画像］
解析の対象となる涙液層干渉縞画像（動画像）において、解析は動画像におけるフレーム単位で行うので、用意した動画像の各フレーム元画像に対し順次以下の手順に従い処理を行う。【００８９】
＜Ｆ１：「ブレイク検出画像３」の作成＞
まず、エリアブレイクの検出のため、前述の「ブレイク検出画像３」に説明したステップ「Ｓ３１乃至Ｓ３３」に従い、「ブレイク検出画像３」の作成を行う。【００９０】
＜Ｆ２：エリアブレイク検出の判定＞
作成されたブレイク検出画像３について、当該ブレイク検出画像３に抽出される画素のＢｌｏｂについて、「Ｂｌｏｂの総数」と「Ｂｌｏｂの総面積（総画素数）」とを取得し、「Ｂｌｏｂの総数」と「Ｂｌｏｂの総面積」とが所定の閾値との比較による条件を満たしているか否かを判定する。たとえば、ブレイク検出画像３における「Ｂｌｏｂの総数」については「２０未満」で、「Ｂｌｏｂの総面積」については「５，０００以上」などとすることができる。ただし、閾値および条件は、これに限定される必要ななく、適宜変更してよい。【００９１】
「＜Ｆ２：エリアブレイク検出の判定＞」において、「ブレイク検出画像３」が条件を満たす場合、エリアブレイクが検出されたものと判定する。【００９２】
＜Ｆ３：開瞼時から所定範囲のフレームに該当するか否かの判別＞
「＜Ｆ２：エリアブレイク検出の判定＞」で、「ブレイク検出画像３」が条件を満たさない場合、さらに、そのフレームが所定のフレームに該当するか否かを判別する。具体的には、開瞼後0.1秒から0.5秒後に該当するフレームに該当するかどうかを判別し、該当する場合は、後述する「＜Ｆ４：「ブレイク検出画像４」の作成＞」に進む。【００９３】
「＜Ｆ４：「ブレイク検出画像４」の作成＞」は、スポットブレイク検出のための手順であるが、スポットブレイクは、開瞼後すぐに出現するブレイクであるため、スポットブレイクについては、開瞼後所定の範囲に該当するフレームについてのみ解析するのが有用であるためである。【００９４】
また、開瞼の検知の手法については、特に限定するものではないが、たとえば、閉瞼時の涙液層干渉縞画像は、全体的に輝度が著しく低い状態となっているため、開瞼時と比較して輝度変化の判別が容易であるため、こうした輝度変化を検知して開瞼時を検出し、開瞼時から所定の時間範囲に該当するフレームか否かを判別する。【００９５】
なお、たとえば、開瞼が検知されたフレームから「３番目から１５番目のフレーム」というように、フレームの順番、および、枚数によりその範囲を設定してもよい。【００９６】
＜Ｆ４：「ブレイク検出画像４」の作成＞
スポットブレイクの検出のため、前述の「ブレイク検出画像４」に説明したステップ「Ｓ４１乃至Ｓ４６」に従い、「ブレイク検出画像４」の作成を行う。【００９７】
＜Ｆ５：スポットブレイク検出の判定＞
作成されたブレイク検出画像４について、ブレイク検出画像４に抽出されているＢｌｏｂについて、「Ｂｌｏｂの総数」と「Ｂｌｏｂの総面積（総画素数）」とを取得し、「Ｂｌｏｂの総数」と「Ｂｌｏｂの総面積」とが所定の閾値との比較による条件を満たしているか否かを判定する。たとえば、ブレイク検出画像４における「Ｂｌｏｂの総数」については「２０未満」で、「Ｂｌｏｂの総面積」については「１２５,０００未満」などとすることができる。ただし、閾値および条件は、これに限定される必要ななく、適宜変更してよい。【００９８】
「＜Ｆ５：スポットブレイク検出の判定＞」で、「ブレイク検出画像４」が条件を満たす場合、スポットブレイクが検出されたものと判定する。【００９９】
＜Ｆ６，Ｆ８：「ブレイク検出画像１」および「ブレイク検出画像２」の作成＞
ディンプルブレイク、「ラインブレイク」検出のため、前述の「ブレイク検出画像１」および「ブレイク検出画像２」を作成する。【０１００】
ここで、「ブレイク検出画像１」および「ブレイク検出画像２」の作成については、同一の元画像について、一方が作成される場合は、他方も作成するようにする。「ブレイク検出画像１」および「ブレイク検出画像２」により検出される「ディンプルブレイク」、「ラインブレイク」は、混在して出現することも多いため、一方が検出されたからといって他方の可能性を切り捨てるのは適当でないからである。【０１０１】
「＜Ｆ６，Ｆ８：「ブレイク検出画像１」および「ブレイク検出画像２」の作成＞」までのフローのとおり、「＜Ｆ２：エリアブレイク検出の判定＞」において「エリアブレイクの検出が否定」された場合、および「＜Ｆ３：開瞼時から所定範囲のフレームに該当するか否かの判別＞」において「開瞼時から所定時間範囲のフレーム」に「該当しない」場合には、そのフレームについて、「ブレイク検出画像１」および「ブレイク検出画像２」の両方の作成を行う。【０１０２】
このように、「ブレイク検出画像１」および「ブレイク検出画像２」については、同一のフレームについて両方を作成するようにするが、その作成の順序は問わない、「ブレイク検出画像１」と「ブレイク検出画像２」のどちらを先に作成するようにしてもよいし、並行して作成の処理を行うようにしてもよい。【０１０３】
＜Ｆ７，Ｆ９：ディンプルブレイク、ラインブレイク検出の判定＞
作成されたブレイク検出画像１について、「ディンプルブレイク検出の判定（Ｆ７）」を、また、作成されたブレイク検出画像２について、「ラインブレイク検出の判定（Ｆ９）」をそれぞれ行う。【０１０４】
ブレイク検出画像１に対する「ディンプルブレイク検出の判定（Ｆ７）」については、当該ブレイク検出画像１に抽出されているＢｌｏｂについて、「Ｂｌｏｂの総数」と「Ｂｌｏｂの総面積（総画素数）」とを取得し、「Ｂｌｏｂの総数」と「Ｂｌｏｂの総面積」とが所定の閾値との比較による条件を満たしているか否かを判定する。たとえば、ブレイク検出画像１の「Ｂｌｏｂの総数」に係る閾値は「４未満」で、「Ｂｌｏｂの総数総面積」に係る閾値は「１０，０００未満」とすることができる。ただし、閾値および条件は、これに限定される必要ななく、適宜変更してよい。【０１０５】
ブレイク検出画像２に対する「ラインブレイク検出の判定（Ｆ９）」については、当該ブレイク検出画像２に抽出されているＢｌｏｂについて、「Ｂｌｏｂの総数」と「Ｂｌｏｂの総面積（総画素数）」とを取得し、「Ｂｌｏｂの総数」と「Ｂｌｏｂの総面積」とが所定の閾値との比較による条件を満たしているか否かを判定する。たとえば、「Ｂｌｏｂの総数」に係る閾値は「１０未満」で、「Ｂｌｏｂの総面積」に係る閾値は「７，０００未満」とすることができる。ただし、閾値および条件は、これに限定される必要ななく、適宜変更してよい。【０１０６】
ブレイク検出画像１が所定の条件を満たす場合、「ディンプルブレイク」が検出されたものと判定する。また、ブレイク検出画像２が所定の条件を満たす場合、「ラインブレイク」が検出されたものと判定する。【０１０７】
＜Ｆ１０：集計＞
フレーム毎に判定された判定結果を集計する。集計の方法は、特に限定しないが、『エリアブレイク，ディンプルブレイク，ラインブレイク』などの項目を設け、「＜Ｆ２：エリアブレイク検出の判定＞」において、エリアブレイクと判定された場合には、エリアブレイクの数を加算するなど、判定結果に応じた数をカウントアップしてもよい。【０１０８】
また、各フレームとフレーム毎の判定結果を関連付けて記憶するようにしてもよい。こうすることで、どのタイミングでどのブレイクアップパターンが出現したのかを確認することができる。【０１０９】
なお、「＜Ｆ２：エリアブレイク検出の判定＞」、「＜Ｆ５：スポットブレイク検出の判定＞」、「＜Ｆ７：ディンプルブレイク検出の判定＞」および「＜Ｆ９：ラインブレイク検出の判定＞」において、いずれにも判定されないフレームについては、単純に「いずれのブレイクアップパターンにも該当しないフレーム」として判定するようにしてもよい。また、ブレイク検出画像１乃至４が検出しようとしている、ディンプルブレイク、ラインブレイク、エリアブレイク、および、スポットブレイク以外にもブレイクアップパターンは存在するので、本実施例において、いずれのブレイクアップパターンにも該当しないフレームについて、さらに、ブレイク検出画像１乃至４とは別のブレイクアップパターンを検出するためのブレイク検出画像の作成および判定を行ってもよいし、それでもブレイクアップパターンの検出がされないフレームについては、ブレイクが検出されない「健常」を示すフレームとして判定するようにしてもよい。【０１１０】
スポットブレイクについては、単に「スポットブレイクの検出の有無」のみを記憶するようにしてもよい。また、「ディンプルブレイク」と「ラインブレイク」の両方が検出されたと判定されたフレームについては、「ディンプルブレイク」と「ラインブレイク」の両方が検出されたことが認識可能なように記憶するようにしてもよい。【０１１１】
以上を各フレームについて順次行う（図１３の「Ｆ１１」、「Ｆ１２」）。【０１１２】
＜Ｆ１３：涙液層干渉縞画像のブレイクアップパターンの評価＞
以上、各フレームについて判定されたブレイクアップパターンの集計結果に基づき、最終的に、解析対象の涙液層干渉縞画像がどのブレイクアップパターンに該当するかを評価する方法について述べる。【０１１３】
第１の方法は、涙液層干渉縞画像全体（もしくは任意に切り出された連続フレーム全体）中において、集計結果におけるフレーム数、もしくは、割合から、最も多いブレイクアップパターンをその涙液層干渉縞画像のブレイクアップパターンと評価する方法である。【０１１４】
第１の方法については、例えば、解析された涙液層干渉縞画像全体（もしくは任意に切り出された連続フレーム全体）の、「９１％がエリアブレイク、０．５％がディンプルブレイク、８．５％がラインブレイク」と集計される場合、最も割合の多いエリアブレイクをその涙液層干渉縞画像のブレイクアップパターンと評価する。【０１１５】
第２の方法は、解析された涙液層干渉縞画像全体（もしくは任意に切り出された連続フレーム全体）中におけるブレイクアップパターンの出現割合と所定の閾値との比較により評価する方法である。【０１１６】
例えば、閾値として２０％を設定し、解析された涙液層干渉縞画像全体（もしくは任意に切り出された連続フレーム全体）に対して、「９１％がエリアブレイク、０．５％がディンプルブレイク、８．５％がラインブレイク」として検出された場合に、その閾値（２０％）未満であるブレイクアップパターン、すなわち、ディンプルブレイクおよびラインブレイクを除き、エリアブレイクを涙液層干渉縞画像のブレイクアップパターンと評価する、などとしてもよい。【０１１７】
また、第２の方法については、閾値以上に該当するパターンが複数ある場合には、どれか一つのブレイクアップパターンであると評価せず、該当する複数のブレイクアップパターンであると評価してもよい。あるいは、閾値以上に該当するブレイクアップパターンが複数ある場合に、別の指標と比較して一つのブレイクアップパターンとして評価してもよい。別の指標として、検出割合や重症度などが利用できる。重症度は、ブレイクアップパターンごとに予め設定しておけばよい。【０１１８】
第３の方法は、解析された涙液層干渉縞画像全体（もしくは任意に切り出された連続フレーム全体）における集計結果から、より重症度の高いブレイクアップパターンをその涙液層干渉縞画像のブレイクアップパターンと評価する方法である。重症度は、ブレイクアップパターンごとに予め設定しておけばよい。【０１１９】
なお、どれか一つのブレイクアップパターンとして評価分類することなく、複数のブレイクアップパターンに該当するものと評価するようにしてもよい。また、集計されたブレイクアップパターン別の割合をグラフ等で示すなど、視覚的に評価し易い表示にしてもよい。【０１２０】
スポットブレイクの集計を「検出の有無」で記憶している場合、前述のいずれかの方法で評価されたブレイクアップパターンの他、スポットブレイクの検出の有無を付加するようにしてもよい。また、前述第３の方法のように、ドライアイの重症度に応じて評価する方法においては、検出されたブレイクアップパターンのうち、スポットブレイクが最も重症度が高い場合には、その涙液層干渉縞画像におけるブレイクアップパターンの評価をスポットブレイクと評価するようにしてもよい。【０１２１】
以上、本発明の実施例について説明してきたが、本発明は上述の実施の例に限定されず種々の変形した形での応用が可能なものである。【０１２２】
ブレイク検出画像１乃至４として４種類の作成手順について説明したが、これらブレイク検出画像は常に４種類すべて作成される必要はない。１乃至３種類のブレイク検出画像のみを作成するようにしてもよい。例えば、１種類だけ作成される場合、その評価はその１種類が示すブレイクアップパターンに該当する否かといった評価を行うようにするなど、必要に応じて判定、集計、および、評価の内容、および、手順を適宜変更すればよい。【０１２３】
また、例えば、色のばらつきを示す値を算出するにあたり、元の画像を、適宜、拡大、または、縮小してもよい。拡大の方法としてはバイリニア法、バイキュービック法、Ｌａｎｃｚｏｓ法など間を埋める画素の輝度を関数で補完する方法が好ましい。拡大の効果としては部位によるより詳細な状態を取得できることにある。一方、縮小の方法としてはニアレストネイバー法、バイリニア法、バイキュービック法、Ｌａｎｃｚｏｓ法などいずれの方法を用いてもよく、縮小の効果として解析時間の短縮がある。これらは必要に応じて使い分ければよい。【０１２４】
前述の「ブレイク検出画像１及び２」に係る説明においては、処理の順序として、「エッジ抽出」を先に、その後「縦方向ブレイクの強調」を行うようにしているが、この順序は入れ替えてもよい。つまり、「縦方向ブレイクの強調」の後に「エッジ抽出」を行ってもよい。【０１２５】
前述の説明におけるブレイク検出画像１乃至４の作成に関しては、いずれも「解析エリア限定」および「ラベリング（Ｂｌｏｂの抽出）」の各ステップを行っているが、処理の具体的な内容は前述の説明に限定されない。前述の説明では、「解析エリア限定」において、解析不要とされる角膜輪郭部分などを除去するようにしているが、「解析エリア限定」において角膜輪郭部分などの解析不要部分の特定のみを行い、「ラベリング（Ｂｌｏｂの抽出）」において、特定された解析不要部分に該当するＢｌｏｂを抽出しないようにするようにしてもよい。【０１２６】
前述の説明において、閾値に係る条件として、「以下」、「以上」、「未満」などの語を説明の便宜上用いているが、閾値に係る条件は、記載のとおりに限定されるものではない。閾値を用いる場合、涙液層干渉縞画像における所定の値と閾値との比較により該当、または、非該当を判定できればよい。
【産業上の利用可能性】
【０１２７】
本発明は涙液層干渉縞画像を用いるドライアイのサブタイプの診断のために、特に、ブレイクアップパターンの客観的、非侵襲的、且つ、効率的な評価を可能とするものである。
【図１】
2019031569.tif 000003
【図２】
2019031569.tif 000004
【図３】
2019031569.tif 000005
【図４】
2019031569.tif 000006
【図５】
2019031569.tif 000007
【図６】
2019031569.tif 000008
【図７】
2019031569.tif 000009
【図８】
2019031569.tif 000010
【図９】
2019031569.tif 000011
【図１０】
2019031569.tif 000012
【図１１】
2019031569.tif 000013
【図１２】
2019031569.tif 000014
【図１３】
2019031569.tif 000015
【国際調査報告】
2019031569.tif 000016
2019031569.tif 000017
2019031569.tif 000018
2019031569.tif 000019